(57)【特許請求の範囲】
【請求項１】
液晶層を挟んで対向する一対の基板の内面に前記液晶層の液晶を駆動する電極を含み且つブラックマトリックスで画成された３色以上のサブ画素で構成される複数の画素を有し、
前記画素は、
前記サブ画素における長手方向の一端側に薄膜トランジスタ及び前記薄膜トランジスタのコンタクトパッドを覆う遮光領域を備え、
当該画素を構成する前記サブ画素の少なくとも１つは、当該サブ画素の遮光領域内に突出する隣接サブ画素の前記薄膜トランジスタのコンタクトパッドの側に柱状スペーサが形成され、他のサブ画素は、当該サブ画素の遮光領域内の前記柱状スペーサに対応する領域に、前記隣接サブ画素の前記薄膜トランジスタのコンタクトパッドを覆う領域を残して透光領域が形成される、液晶表示装置。
【請求項２】
前記液晶層の液晶を駆動する電極は画素電極と共通電極とを含み、前記画素電極と前記共通電極とが前記一対の基板のいずれか一方の基板に形成されている請求項１に記載の液晶表示装置。
【請求項３】
白色度を調整したいサブ画素に前記柱状スペーサを形成するようにした請求項１又は２に記載の液晶表示装置。
【請求項４】
前記画素は、ブルー、イエローグリーン、レッド及びエメラルドグリーンの少なくとも４色のサブ画素で構成され、輝度の高いサブ画素に柱状スペーサを形成する請求項１乃至３のいずれか１項に記載の液晶表示装置。
【請求項５】
前記柱状スペーサの直径が前記サブ画素の幅の４分の１以上に設定されている請求項１乃至４のいずれか１項に記載の液晶表示装置。
【請求項６】
請求項１乃至５のいずれか１項に記載の液晶表示装置を備えた電子機器。
【発明の詳細な説明】
【技術分野】
【０００１】
本発明は、液晶表示装置に関し、特に白色度を調整可能な液晶表示装置及びこれを備えた電子機器に関する。
【背景技術】
【０００２】
従来、白色表示時の透過率を高く、色純度を任意に選択し、明るく鮮明なカラー画像を有するカラー液晶装置を得るために、赤、緑及び青の三原色を有するカラーフィルタの三原色の面積比を三原色の透過率に合わせるようにしたカラー液晶表示装置が提案されている（例えば、特許文献１参照）。
このようにカラーフィルタの三原色の面積比を変えるためには、通常、三原色を通過させ各フィルタの幅を調整するようにしている（例えば、特許文献２及び３参照）。
【特許文献１】特開平７−１５９７７１号公報
【特許文献２】特開平６−５１３０１号公報
【特許文献３】特開平７−１０４２８３号公報
【発明の開示】
【発明が解決しようとする課題】
【０００３】
上記特許文献１〜３に記載の従来例にあっては、三原色のカラーフィルタの幅を調整することにより、白色度を調整するようにしている。しかしながら、最近のように、高いコントラスト及び広視野角が得られる液晶表示装置として、液晶を２つの透明基板に対して略水平方向の電界を用いて液晶分子の配向を制御する液晶表示装置、即ち、ＦＦＳ（Fringe-Field Switching）モードやＩＰＳ（In-Plain Switching）モード等により動作する液晶表示装置が提案されている。この液晶表示装置では、一方の透明基板に、表示信号が供給される画素電極と共通電位が供給される共通電極の両者が配設される。
【０００４】
このような横電界モードの液晶表示装置では、液晶層を挟んで対向する一方の基板とカラーフィルタとの間隔を保持する柱状スペーサを各三原色のフィルタ部で構成されるサブ画素を画成するブラックマトリックスで遮光した位置に配置するようにしているが、柱状スペーサを配置するためのブラックマトリックスによる遮光部が各サブ画素で均一に形成されているので、精細度が高くなると、ブラックマトリックスで遮光された部分により開口率が低下し、これに応じて透過率が減少し、この透過率の低下は高精細なほど大きいという未解決の課題がある。
【０００５】
そこで、本発明は、上記従来例の未解決の課題に着目してなされたものであり、サブ画素内に柱状スペーサを配置しながら透過率を改善すると共に、色バランスの調整も可能な液晶表示装置及びこれを備えた電子機器を提供することを目的としている。
【課題を解決するための手段】
【０００６】
上記目的を達成するために、第１の形態にかかる液晶表示装置は、液晶層を挟んで対向する一対の基板の内面に前記液晶層の液晶を駆動する電極を含み且つブラックマトリックスで画成された３色以上のサブ画素で構成される複数の画素を有し、前記サブ画素における長手方向の一端側に薄膜トランジスタを覆う第１の遮光領域及び前記薄膜トランジスタのコンタクトパッドを覆う第２の遮光領域を設け、前記画素を構成する前記サブ画素の少なくとも１つは、前記長手方向の一端側にて前記第１の遮光領域及び前記第２の遮光領域を繋いで一体の遮光領域を形成するとともに該遮光領域の前記第２の遮光領域の側に柱状スペーサを形成し、他のサブ画素については前記第１の遮光領域及び前記第２の遮光領域を離間してその間の領域を透光領域とした。
【０００７】
この第１の形態では、少なくとも１つのサブ画素の長手方向の一端側に柱状スペーサを形成する遮光領域を設け、他のサブ画素については第１の遮光領域と第２の遮光領域とを離間してその間の領域を透光領域としたので、柱状スペーサを形成するサブ画素の面積に対し、柱状スペーサを形成しないサブ画素の面積を大きくすることができ、サブ画素間で開口率を変化させることができ、白色度の調整を行うことができる。
【０００８】
また、第２の形態に係る液晶表示装置は、第１の形態において、前記液晶層の液晶を駆動する電極は画素電極と共通電極とを含み、前記画素電極と前記共通電極とが前記一対の基板のいずれか一方の基板に形成されている。
この第２の形態では、横電界モードで液晶層の液晶分子を駆動することができ、高精細化した場合でも、柱状スペーサを形成するサブ画素とそれ以外のサブ画素とで開口率を変化させて、透過率を変化させることにより、白色度を調整するとこができる。
【０００９】
さらに、第３の形態に係る液晶表示装置は、第１又は第２の形態において、白色度を調整したいサブ画素に前記柱状スペーサを形成するようにしたので、例えば白色度が黄色味をおびているときには緑色のサブ画素に柱状スペーサを形成する遮光領域を形成することにより、緑色の透過率を減少させて、白色度の黄色味を抑制して白色度を向上させることができる。
【００１０】
さらにまた、第４の形態に係る液晶表示装置は、第１乃至第３の形態のいずれか１つの形態において、前記画素は、ブルー、イエローグリーン、レッド及びエメラルドグリーンの少なくとも４色のサブ画素で構成され、輝度の高いサブ画素に柱状スペーサを形成する。
この第４の形態では、少なくとも４色のサブ画素を構成する場合に色バランスが難しく、この色バランスをとるために、輝度の高いサブ画素がある場合に、サブ画素の幅を調整するだけでは困難で柱状スペーサを設けるための遮光部を形成することにより、開口率を減少させて色バランスを最適化することができる。
【００１１】
なおさらに、第５の形態に係る液晶表示装置は、第１乃至第４の形態のいずれか１つの形態において、前記柱状スペーサの直径が前記サブ画素の幅の４分の１以上に設定されている。
この第５の形態では、高精細化したときに、柱状スペーサの直径をサブ画素の幅の４分の１以上に設定することにより、液晶表示装置の表示面が押されたときに、柱状スペーサが潰れることを抑制して、カラーフィルタとこれに液晶層を挟んで対向する基板とのギャップを保持することができる。因みに、柱状スペーサの直径をサブ画素の幅の４分の１未満に設定すると、液晶表示装置の表示面が押されたときに柱状スペーサが潰れてカラーフィルタとこれに液晶層を挟んで対向する基板とのギャップを保持することができず、表示が乱れることなる。
また、第６の形態に係る電子機器は、請求項１乃至５のいずれか１項に記載の液晶表示装置を備えている。
【００１２】
この第６の形態では、高精細化した液晶表示装置を使用して色バランスを最適化したカラー表示を行うことが可能な電子機器を提供することができる。
【発明を実施するための最良の形態】
【００１３】
以下、本発明の実施の形態を図面に基づいて説明する。
図１は、本発明の液晶表示装置を適用した電子機器としての携帯電話機を示す斜視図、図２は本発明の第１の実施形態を示す液晶表示装置の１画素の平面図、図３は図２のＡ−Ａ線上の断面図である。
この携帯電話機１は、操作側ケース２と、この操作側ケース２の長手方向端部にヒンジ結合されている表示側ケース３と、操作側ケース２に設けられた操作キー４及びスクロールキー５と、表示側ケース３の中央部に設けた表示部６と、この表示部６に設けられた透過型液晶表示装置７と、操作側ケース２の下端側に設けられた送話部８と、表示側ケース３の上端部に設けられた受話部９とを備えている。
【００１４】
透過型液晶表示装置７は、ノーマリブラック型のＦＦＳモードにより動作する液晶表示装置であって、図２に示すように、表示部１１が複数の画素１２をマトリックス状に配置して構成されている。図２では、表示部１１の一部の画素１２のみを示している。
各画素１２は、図２に示すように、赤色、緑色及び青色の３つのサブ画素ＳＰｒ、ＳＰｇ及びＳＰｂをその順にＸ軸方向に整列させて構成されている。
【００１５】
表示部１１は、図２に示すように、Ｘ方向を水平方向とし、Ｙ方向を垂直方向とした矩形状に形成され、その水平方向に沿って、画素選択信号が供給される複数のゲート線１４が所定間隔を保って配置されていると共に、垂直方向に沿って、表示信号が供給されるドレイン線１５が所定間隔を保って配置されている。これらゲート線１４及びドレイン線１５で囲まれる領域にサブ画素ＳＰｒ、ＳＰｇ及びＳＰｂが配置されている。各サブ画素ＳＰｒ、ＳＰｇ及びＳＰｂには、画素形成領域の左上角部にゲート線１４をゲート電極とした薄膜トランジスタＴＲが配設されている。
【００１６】
そして、各サブ画素ＳＰｒ、ＳＰｇ及びＳＰｂの夫々は、図３の断面図に示すように、多層構造とされ、バックライト２０に対向する下面に第１の偏光板２１を形成したガラス等からなる第１の透明基板２２を有し、この第１の透明基板２２の上面にバッファ膜２３が形成され、このバッファ膜２３の上面に薄膜トランジスタＴＲを構成する図２で見てＵ字状のポリシリコンで形成された能動層２４が配置され、この能動層２４を覆うようにゲート絶縁膜２５が配置されている。
【００１７】
ゲート絶縁膜２５の能動層２４に対向する上面には能動層２４を２回通るようにゲート線１４が配置されてダブルゲート構造とされている。そして、ゲート絶縁膜２５及びゲート線１４は、層間絶縁膜２６で覆われている。この層間絶縁膜２６上には、コンタクトホールＣＨ１を通じて薄膜トランジスタＴＲのドレイン２７と接続されたドレイン線１５と、コンタクトホールＣＨ２を通じてソース２８と接続されたソース電極２９とが配置されている。
【００１８】
これらドレイン線１５及びソース電極２９はパッシベーション膜３０で覆われ、このパッシベーション膜３０上に平坦化膜３１が形成されている。なお、パッシベーション膜３０は必ずしも必要ではなく、省略することもできる。
平坦化膜３１上には、ソース電極２９と対向する位置に開口部３２ａを有する共通電極３２が配置されている。この共通電極３２は、例えばサブ画素ＳＰｒ、ＳＰｇ及びＳＰｂが配置されている表示有効領域ではベタ膜として形成され、サブ画素ＳＰｒ、ＳＰｇ及びＳＰｂが配置されていない領域において、コンタクトホール（図示せず）を通じて、共通電位が供給される共通電極線（図示せず）と接続されている。また、ゲート線１４またはドレイン線１５に平行に連なった帯状に形成してもよいし、共通電極線と画素毎も接続してもよい。
【００１９】
そして、共通電極３２上に絶縁膜３３を介して画素電極３４が配置されている。この画素電極３４は絶縁膜３３、共通電極３２の開口部３２ａ、平坦化膜３１及びパッシベーション膜３０を通じて形成されたコンタクトホールＣＨ３を介してソース電極２９と接続されている。
また、画素電極３４は配向膜３５で覆われており、この配向膜３５のラビング方向は、第１の偏光板２１の透過軸と平行となるように設定されている。
【００２０】
そして、配向膜３５の上部に液晶分子Ｍを有する液晶層３６を介して下面にカラーフィルタ３７及び配向膜３８を有する第２の透明基板３９が配置されている。
ここで、カラーフィルタ３７は、図４に模式的に示すように、サブ画素ＳＰｒ、ＳＰｇ及びＳＰｂに夫々対応する赤色、緑色及び青色のフィルタ領域ＣＦｒ、ＣＦｇ及びＣＦｂを有し、これらフィルタ領域ＣＦｒ、ＣＦｇ及びＣＦｂがブラックマトリックスＢＭｒ、ＢＭｇ及びＢＭｂによって画成、すなわち、ブラックマトリックスＢＭｒ、ＢＭｇ及びＢＭｂによってサブ画素ＳＰｒ、ＳＰｇ及びＳＰｂが区画され、サブ画素ＳＰｒ、ＳＰｇ及びＳＰｂにおいて、ブラックマトリックスＢＭｒ、ＢＭｇ及びＢＭｂと平面視で重なる部分は遮光領域となり、重ならない開口部分は透光領域となっている。
【００２１】
これらブラックマトリックスＢＭｒ、ＢＭｇ及びＢＭｂは、図４に示すように、サブ画素ＳＰｇに対応するブラックマトリックスＢＭｇについては、Ｙ軸方向の上端に比較的幅広の遮光領域としての遮光部５１を形成すると共に、その他の３方の端部に遮光部５１に連接する比較的幅狭のＵ字状の遮光部５２が形成されて、これら遮光部５１及び５２で囲まれる領域が開口部５３とされている。そして、遮光部５１のサブ画素ＳＰｂ寄り位置にカラーフィルタ３７と液晶層３６を介して対向する基板２２に形成された配向膜３５との間のギャップＧを保持する柱状スペーサ５４が形成されている。この柱状スペーサ５４の直径は配置するサブ画素ＳＰｇの幅の４分の１以上に設定されて、液晶表示装置７の表示面が押圧された場合に、柱状スペーサ５４が潰れることを確実に防止することができる。因みに、柱状スペーサの直径をサブ画素の幅の４分の１未満に設定すると、液晶表示装置の表示面が押されたときに柱状スペーサが潰れてカラーフィルタとこれに液晶層を挟んで対向する基板とのギャップを保持することができず、表示が乱れることなる。
【００２２】
また、サブ画素ＳＰｒ及びＳＰｂに対応するブラックマトリックスＢＭｒ及びＢＭｂについては、上述したブラックマトリックスＢＭｇの柱状スペーサ５４に対応する遮光部５１が削除されて開口部５３と連通する透光領域としての開口部５５が形成されている。なお、開口部５５の右端側から僅かに突出する遮光部５６は薄膜トランジスタＴＲのコンタクトパッドを覆うために設けられている。
【００２３】
このため、カラーフィルタ３７のブラックマトリックスＢＭｒ、ＢＭｇ及びＢＭｂの開口部５３及び５５に対応する各フィルタ領域ＣＦｒ、ＣＦｇ及びＣＦｂは、フィルタ領域ＣＦｇに対してフィルタ領域ＣＦｒ及びＣＦｂの面積が広くなる。このため、フィルタ領域ＣＦｇに対してフィルタ領域ＣＦｒ及びＣＦｂの開口率が大きくなり、サブ画素ＳＰｇの透過率に対してサブ画素ＳＰｒ及びＳＰｂの透過率が大きくなる。
【００２４】
また、配向膜３８のラビング方向は前述した配向膜３５と同じラビング方向を有している。また、液晶層３６の液晶分子Ｍは、配向膜３５及び３８のラビング方向に応じて初期配向されており、ホモジニアス配向されている。
さらに、第２の透明基板３９の上面に第１の偏光板２１と直交する透過軸を有した第２の偏光板４０が配置されている。
【００２５】
そして、配向膜３５及び３８のラビング方向は、図１に示すように、水平方向（Ｘ方向）と一致している。画素電極３４は、図１に示すように、配向膜３５及び３８のラビング方向に対して所定角度θｓ１だけ傾斜した長方形状を有する複数のスリットＳ１が垂直方向に所定間隔Ｌ１を保って平行に形成されている所謂シングルスリット構成とされている。
【００２６】
また、画素電極３４は、垂直方向の両端部側のスリットＳ１から所定距離離れた位置にＸ軸と平行な短辺となる対向外周縁４１及び４２が形成され、これら対向外周縁４１及び４２の左右両端を結んで垂直方向に延長する比較的長い長辺となる対向外周縁４３及び４４が形成されて縦長の矩形状の外形を有する。
ここで、各スリットＳ１は、図３に示すように、絶縁膜３３を介して形成された上部電極である画素電極３４と下部電極である共通電極３２との間に電圧を印加し、これによって発生する電界によって液晶分子Ｍを駆動するための開口部である。スリットＳ１が垂直方向に複数平行に形成されているので、サブ画素ＳＰｒ、ＳＰｇ及びＳＰｂの透過率を向上させることができる。
【００２７】
そして、各スリットＳ１は、その傾斜角θｓ１が液晶層３６の液晶分子Ｍの回転方向を不定にさせないようにするために、配向膜３５及び３８のラビング方向に対して例えば約＋５度〜＋１５度、好ましくは約＋５度大きい値に設定されている。
上記構成を有する透過型液晶表示装置７の動作を、図３を参照して説明すると、共通電極３２と画素電極３４との間に電界が生じないオフ状態では、液晶層３６の液晶分子Ｍはホモジニアス配向されており、その長軸方向は、第１の偏光板２１の透過軸と例えば平行である。このとき、第１の偏光板２１によって直線偏光されたバックライト２０の光は、そのままの偏光軸で液晶層３６を透過して第２の偏光板４０に入射する。しかし、この光は、その偏光軸が第２の偏光板４０の透過軸と直行するため、第２の偏光板４０によって吸収される。即ち、黒表示表示（ノーマリーブラック）となる。
【００２８】
一方、共通電極３２と画素電極３４との間に電界が生じるオン状態では、この電界に応じて、液晶層３６の液晶分子Ｍの長軸は、第１の透明基板２２に対して略水平に回転する。このとき、第１の偏光板２１によって直線偏光されたバックライト２０の光は、液晶層３６における複屈折により楕円偏光となり、第２の偏光板４０に入射する。この楕円偏光のうち、第２の偏光板４０の透過軸と一致する成分が出射される。
【００２９】
このとき、１つの画素１２が赤色のサブ画素ＳＰｒ、緑色のサブ画素ＳＰｇ及び青色のサブ画素ＳＰｂで構成され、各サブ画素ＳＰｒ、ＳＰｇ及びＳＰｒの夫々についてバックライト２０の光が赤色のフィルタ領域ＣＦｒ、緑色のフィルタ領域ＣＦｇ及び青色のフィルタ領域ＣＦｂを透過するので、その透過光量に応じたカラー表示が行われる。
このカラー表示状態で、各サブ画素ＳＰｒ、ＳＰｇ及びＳＰｂの共通電極３２及び画素電極３４間に印加する電圧を同一電圧とすることにより、各サブ画素ＳＰｒ、ＳＰｇ及びＳＰｂの液晶層３６を透過する透過光量を等しくすることにより、白色表示を行ったときに、液晶層３６を透過する透過光量は等しいが、カラーフィルタ３７の赤色及び青色のフィルタ領域ＣＦｒ及びＣＦｂの透過率に対して緑色のフィルタ領域ＣＦの透過率が柱状スペーサ５４を覆う遮光部の分だけ小さくなる。このため、白色度が黄色方向にシフトしている傾向を緑色の透過率を低下させることにより、抑制して白色度を向上させることができる。
【００３０】
すなわち、横電界モードの液晶表示装置では、輝度を最適化するため、電圧（Ｖ）−透過率（Ｔ）特性のピーク付近の液晶駆動電圧を選択することが一般的であるが、この場合の表示状態は、白色度が黄色方向にシフトする傾向がある。この分を上述したように緑色の透過率を低下させることにより、補償して白色の色純度を向上させることができる。
この場合、単に、柱状スペーサ５４を形成するサブ画素を選択するだけで、白色度を調整することができ、サブ画素ＳＰｒ、ＳＰｇ及びＳＰｂのカラーフィルタ３７と液晶層３６を介して対向する基板側とのギャップＧを調整したり、カラーフィルタの膜厚を調整したりする必要がなく、白色度の調整を容易に行うことが出来る。
【００３１】
また、白色度以外のカラーバランスを調整する場合には、調整したいサブ画素ＳＰｒ、ＳＰｇ及びＳＰｂを選択し、選択したサブ画素に柱状スペーサ５４を形成するようにすればよい。
このように上記実施形態によれば、横電界モードで高精細化したときに、最低限柱状スペーサを設置するサブ画素を選択するだけで、カラーバランスと柱状スペーサの配置を最適化することが出来る。
しかも、柱状スペーサ５４の直径をサブ画素の幅の４分の１以上に設定することにより、高精細化を確保しながら表示面を押圧した場合に柱状スペーサが潰れることを確実に防止することができ、液晶カラー表示が乱れることを確実に防止することができる。
【００３２】
なお、上記実施形態においては、本発明を三原色フィルタ構成の３つのサブ画素ＳＰｒ、ＳＰｇ及びＳＰｂで１つの画素１２を構成する場合について説明したが、これに限定されるものではなく、図５に示すように、ブルーのサブ画素ＳＰｂ、イエローグリーンのサブ画素ＳＰｙｇ、レッドのサブ画素ＳＰｒ及びエメラルドグリーンＳＰｅｇの４つのサブ画素を設けることもできる。この場合、各色の透過率に応じて下部画素ＳＰｂ、ＳＰｙｇ、ＳＰｒ及びＳＰｅｇの幅を調整して各色の透過率を合わせると共に、前記実施形態と同様に白色度の黄色方向のシフトを補償するには、輝度が大きいイエローグリーンのサブ画素ＳＰｙｇに柱状スペーサ５４を形成する遮光部５１を設け、他のサブ画素ＳＰｂ、ＳＰｒ及びＳＰｅｇについては遮光部を開口部５５に変更することにより透光率差を設け、サブ画素ＳＰｙｇの透過率を低下させることにより、白色度の黄色方向のシフトを補償して白色の色純度を向上させることができる。他のカラーバランスを調整する場合には、調整したいサブ画素に柱状スペーサを形成する遮光部を設けるようにすればよい。また、サブ画素として、ブルー、イエローグリーン、レッド及びエメラルドグリーンを適用する場合の他、レッド、グリーン及びブルーにシアン、マゼンタ、イエローのいずれか１つ又は２つ以上を追加して４色以上のサブ画素で１つの画素を構成するようにしてもよい。
【００３３】
また、上記実施形態においては、本発明を透過型液晶表示装置７に適用した場合について説明したが、これに限定されるものではなく、透過表示部と反射表示部とを備える半透過型液晶表示装置についても本発明を適用することができる。
また、上記実施形態では、画素１２がノーマリブラック型のＦＦＳモードにより動作する場合について説明したが、これに限定されるものではなく、ノーマリホワイト型のＦＦＳモードにより動作する液晶表示装置についても本発明を適用することができる。この場合、第１の偏光板２１及び第２の偏光板４０の透過軸、配向膜（図示せず）のラビング方向の関係をノーマリホワイト型に対応して変更すればよい。
【００３４】
さらに、上記実施形態では、第１の透明基板２２側に共通電極３２及び画素電極３４を形成する場合について説明したが、これに限定されるものではなく、第２の透明基板３９側に共通電極及び画素電極を形成するようにしてもよい。
また、上記実施形態では、ＦＦＳモードの液晶表示装置に本発明を適用した場合について説明したが、これに限定されるものではなくＩＰＳモードの液晶表示装置に本発明を適用することができる。
【００３５】
さらに、上記第１及び第２の実施形態では、本発明による液晶表示装置を携帯電話機に適用した場合について説明したが、これに限定されるものではなく、ＰＤＡ（Ｐｅｒｓｏｎａｌ  Ｄｉｇｉｔａｌ  Ａｓｓｉｓｔａｎｔ）、ディジタルスチルカメラ、ディジタルビデオカメラ等の携帯型の電子機器や液晶テレビ、液晶ディスプレイ等の任意の電子機器に本発明による液晶表示装置を適用することができる。
【図面の簡単な説明】
【００３６】
【図１】本発明を携帯電話機に適用した場合の一実施形態を示す斜視図である。
【図２】透過型液晶表示装置を示す平面図である。
【図３】図２のＡ−Ａ線上の断面図である。
【図４】サブ画素のフィルタ構成を示す平面図である。
【図５】サブ画素のフィルタ構成の他の例を示す平面図である。
【符号の説明】
【００３７】
１…携帯電話機、６…表示部、７…透過型液晶表示装置、１２…画素、ＳＰｒ〜ＳＰｂ…サブ画素、１４…ゲート線、１５…ドレイン線、ＴＲ…薄膜トランジスタ、２０…バックライト、２１…第１の偏光板、２２…第１の透明基板、２３…バッファ膜、２４…能動層、２５…ゲート絶縁膜、２６…層間絶縁膜、２７…ドレイン、２８…ソース、２９…ソース電極、３０…パッシベーション膜、３１…平坦化膜、３２…共通電極、３３…絶縁膜、３４…画素電極、３５…配向膜、３６…液晶層、３７…カラーフィルタ、３８…配向膜、３９…第２の透明基板、４０…第２の偏光板、ＣＦｒ〜ＣＦｂ…フィルタ領域、ＢＭｒ〜ＢＭｂ…ブラックマトリックス、５１，５２…遮光部、５３…開口部、５４…柱状スペーサ、５５…開口部、ＳＰｙｇ、ＳＰｅｇ…サブ画素、ＣＦｙｇ、ＣＦｅｇ…フィルタ領域
【図１】
0005467566.tif 000002
【図２】
0005467566.tif 000003
【図３】
0005467566.tif 000004
【図４】
0005467566.tif 000005
【図５】
0005467566.tif 000006